(57)【要約】【課題】出力する２種の直流出力の電圧の差異が微少となるときにも、回路構成の複雑化を抑制する。【解決手段】基本直流出力２３を送出するスイッチング電源部６と、基本直流出力２３を降圧することにより、第１の目標電圧に安定化した第１の直流出力２１を生成するシリーズ型レギュレータ７とを備えた構成において、一方の端子に基本直流出力２３が入力され、他方の端子から電流が流れ出すときには、基本直流出力２３の電圧を降下させた直流出力である第２の直流出力２２を前記他方の端子から送出する電圧降下用素子部Ｄ３を備え、スイッチング電源部６は、第２の直流出力２２の電圧誤差に基づいてスイッチング素子１のスイッチングを制御することにより、第２の直流出力２２の電圧を第２の目標電圧に安定化する。【選択図】  図１
2006115616.tif 000002
【特許請求の範囲】
【請求項１】
インダクタに流れる電流をスイッチングすることにより生成した直流出力である基本直流出力を送出するスイッチング電源部と、
基本直流出力を降圧することにより、第１の目標電圧に安定化した第１の直流出力を生成するシリーズ型レギュレータとを備え、
スイッチング電源部は、
一方の端子が入力側直流源に接続された前記インダクタの他方の端子と接地レベルとの間に接続されたスイッチング素子と、
アノードがインダクタの他方の端子に接続され、カソードから基本直流出力を送出する整流用ダイオードと、
整流用ダイオードのカソードと接地レベルとの間に接続された平滑用コンデンサと、
所定点の電圧誤差を検出する誤差検出部と、
誤差検出部の出力に基づいてスイッチング素子のスイッチングを制御するスイッチング制御部とを備えたスイッチング電源装置において、
アノードに基本直流出力が入力された電圧降下用ダイオードを備え、
誤差検出部は電圧降下用ダイオードのカソードから送出される直流出力である第２の直流出力の電圧誤差を検出し、
スイッチング制御部は誤差検出部の出力に基づいてスイッチング素子のスイッチングを制御することにより、第２の直流出力の電圧を第２の目標電圧に安定化することを特徴とするスイッチング電源装置。
【請求項２】
インダクタに流れる電流をスイッチングすることにより生成した直流出力である基本直流出力を送出するスイッチング電源部と、
基本直流出力を降圧することにより、第１の目標電圧に安定化した第１の直流出力を生成するシリーズ型レギュレータとを備えたスイッチング電源装置において、
一方の端子に基本直流出力が入力され、他方の端子から電流が流れ出すときには、基本直流出力の電圧を降下させた直流出力である第２の直流出力を前記他方の端子から送出する電圧降下用素子部を備え、
スイッチング電源部は、第２の直流出力の電圧誤差に基づいてスイッチング素子のスイッチングを制御することにより、第２の直流出力の電圧を第２の目標電圧に安定化することを特徴とするスイッチング電源装置。
【請求項３】
電圧降下用素子部を順方向電圧分だけ電圧を降下させる電圧降下用ダイオードとしたことを特徴とする請求項２に記載のスイッチング電源装置。
【発明の詳細な説明】
【技術分野】
【０００１】
本発明は、インダクタに流れる電流をスイッチングすることによって基本直流出力を生成するとともに、シリーズ型レギュレータを用いて、基本直流出力から電圧が安定化された第１の直流出力を生成するスイッチング電源装置に係り、より詳細には、基本直流出力の電圧を降下させる電圧降下用素子部を備え、電圧降下用素子部から送出される直流出力である第２の直流出力の電圧誤差に基づいてスイッチングを制御することにより、第２の直流出力の電圧を安定化するスイッチング電源装置に関するものである。
【背景技術】
【０００２】
電池を動作電源とする装置では、ＩＣの動作電源となる直流出力の電圧が、電池の電圧より高くなる場合がある。また、電圧が互いに異なる２種の直流出力が必要となる場合がある。図３は、このような場合に使用されるスイッチング電源の１つを示している。すなわち、インダクタＬ１に流れる電流をＦＥＴ１を用いてスイッチングするとともに、インダクタＬ１の出力をダイオードＤ２とコンデンサＣ２とを用いて整流平滑することにより、電池５より高い電圧の直流出力７１を得ている。また、シリーズ型レギュレータ８１を用いて、直流出力７１より電圧の低い直流出力７２を生成している。
【０００３】
しかし、シリーズ型レギュレータ８１は、電圧制御用素子にＰＮＰトランジスタＱ８を用いた構成とする場合であっても、入力電圧（直流出力７１の電圧）を、出力電圧（直流出力７２の電圧）に対して、０．７Ｖ以上は高くする必要がある。このため、例えば、直流出力７１の電圧を３．３Ｖとする場合では、直流出力７２の電圧は、２．６Ｖより低い電圧範囲においてしか、安定化することができない。従って、直流出力７１の電圧を３．３Ｖとするときにも、直流出力７２の電圧を、例えば、３．０Ｖに安定化する必要がある場合には、図４に示す構成が使用されることになる。
【０００４】
すなわち、図４に示す構成において、例えば、直流出力７５の電圧を３．３Ｖ、直流出力７６の電圧を３．０Ｖに安定化する必要があるとする。このときでは、直流出力７４の電圧が４．０Ｖ（直流出力７５の電圧である３．３Ｖに０．７Ｖを加算した電圧）より高い電圧（例えば、４．２Ｖ等）に安定化されるように、抵抗Ｒ７，Ｒ８からなる分圧回路の分圧比と基準電圧ｒｅｆとが設定される。従って、３．３Ｖに安定化された直流出力７５をシリーズ型レギュレータ８２から送出させることができる。また、３．０Ｖに安定化された直流出力７６をシリーズ型レギュレータ７から送出させることができる（第１の従来技術とする）。
【０００５】
また、複数種の電圧の直流出力を生成するスイッチング電源として、図５に示す技術が提案されている（第２の従来技術とする）。すなわち、この技術においては、１つの単位期間を、第１〜第４の４つの等しい期間ｔ１〜ｔ４に分割している。そして、第１の期間ｔ１と第３の期間ｔ３とにおいては、２つのＦＥＴ９２，９３の双方をオフにし、第２の期間ｔ２においては、ＦＥＴ９２をオン、ＦＥＴ９３をオフにしている。また、第４の期間ｔ４においては、ＦＥＴ９２をオフ、ＦＥＴ９３をオンにしている。そして、第１の期間ｔ１と第３の期間ｔ３とにおいては、直流出力６１の電圧が目標電圧となるように、ＦＥＴ９１のスイッチングを制御している。また、第２の期間ｔ２においては、直流出力６２の電圧が目標電圧となるように、ＦＥＴ９１のスイッチングを制御し、第４の期間ｔ４においては、直流出力６３の電圧が目標電圧となるように、ＦＥＴ９１のスイッチングを制御している（例えば、特許文献１参照）。
【特許文献１】特開２００４−９６８１６号公報（第００２２−００３３段落、図１−図３）
【発明の開示】
【発明が解決しようとする課題】
【０００６】
しかしながら、第１の従来技術を用いる場合には、２つのシリーズ型レギュレータ８２，７が必要となるので、回路の複雑化を招くとともに部品原価の上昇をも招くことになる。
【０００７】
第２の従来技術については、２つの直流出力６１，６２を送出する構成とした場合を検討する。この場合では、直流出力６３の生成に必要とする素子を省略することができる。しかし、その場合であっても、ＦＥＴ９２が必要となる。また、直流出力６２を安定化するために使用可能な期間が、全体の期間の１／２以下となるので、短い期間においてコンデンサＣ９を充電する必要がある。このため、ＦＥＴ９２については、直流出力６２の電流値の数１０倍の電流を流すことが可能な素子、すなわち、規格における電流の最大値が大きい素子（一般的には、素子形状が大きくなる）を用いる必要がある。また、制御回路９５についても、直流出力６１，６２のそれぞれの電圧誤差を検出するとともに、ＦＥＴ９１の制御とＦＥＴ９２の制御とを行う必要があるので、回路の複雑化を招くことになる。
【０００８】
本発明は、上記の問題点を解決するため創案されたものであり、その目的は、スイッチングを行うことによって昇圧された直流出力を生成する構成において、出力する２種の直流出力の電圧の差異が微少となるときにも、回路構成の複雑化を抑制することのでき、且つ、出力電圧を安定化するためのスイッチングの制御が不安定となることを防止することのできるスイッチング電源装置を提供することにある。
【０００９】
また本発明の目的は、インダクタに流れる電流をスイッチングすることにより生成した基本直流出力から安定化された直流出力を生成するシリーズ型レギュレータを備え、且つ、基本直流出力の電圧を電圧降下用素子部を用いて降下させるとともに、電圧降下用素子部から送出される直流出力を安定化するスイッチングを行うことにより、出力する２種の直流出力の電圧の差異が微少となるときにも、回路構成の複雑化を抑制することのできるスイッチング電源装置を提供することにある。
【００１０】
また、上記目的に加え、電圧降下用素子部を電圧降下用ダイオードとすることによって、電圧誤差の検出における位相遅れを抑制することにより、出力電圧を安定化するためのスイッチングの制御が不安定となることを防止することのできるスイッチング電源装置を提供することにある。
【課題を解決するための手段】
【００１１】
上記の課題を解決するため、本発明に係るスイッチング電源装置は、インダクタに流れる電流をスイッチングすることにより生成した直流出力である基本直流出力を送出するスイッチング電源部と、基本直流出力を降圧することにより、第１の目標電圧に安定化した第１の直流出力を生成するシリーズ型レギュレータとを備え、スイッチング電源部は、一方の端子が入力側直流源に接続された前記インダクタの他方の端子と接地レベルとの間に接続されたスイッチング素子と、アノードがインダクタの他方の端子に接続され、カソードから基本直流出力を送出する整流用ダイオードと、整流用ダイオードのカソードと接地レベルとの間に接続された平滑用コンデンサと、所定点の電圧誤差を検出する誤差検出部と、誤差検出部の出力に基づいてスイッチング素子のスイッチングを制御するスイッチング制御部とを備えたスイッチング電源装置に適用している。そして、アノードに基本直流出力が入力された電圧降下用ダイオードを備え、誤差検出部は電圧降下用ダイオードのカソードから送出される直流出力である第２の直流出力の電圧誤差を検出し、スイッチング制御部は誤差検出部の出力に基づいてスイッチング素子のスイッチングを制御することにより、第２の直流出力の電圧を第２の目標電圧に安定化するようになっている。
【００１２】
すなわち、２種の電圧の直流出力の生成を行うにもかかわらず、１つのシリーズ型レギュレータのみを備えた構成となっている。また、シリーズ型レギュレータに入力される基本直流出力の電圧は、第２の目標電圧に、電圧降下用ダイオードにより降下した電圧分を加算した電圧となる。このため、シリーズ型レギュレータの入力電圧と出力電圧との差異は、第１の目標電圧と第２の目標電圧との差異に、電圧降下用ダイオードによって降下した電圧分を加算した電圧となる。従って、電圧降下用ダイオードに、適切な電圧の降下分を生じる素子を用いるときでは、シリーズ型レギュレータに入力される電圧と出力される電圧との差異を、シリーズ型レギュレータが、第１の直流出力の電圧を第１の目標電圧に安定化するのに必要な条件を満たす値とすることができる。また、電圧降下用ダイオードの等価インピーダンスは、順方向に電流が流れるときでは微少となる。従って、電圧降下用ダイオードに流れる電流の位相遅れは微少となるので、電圧誤差信号は位相遅れの少ない信号となる。
【００１３】
また本発明に係るスイッチング電源装置は、インダクタに流れる電流をスイッチングすることにより生成した直流出力である基本直流出力を送出するスイッチング電源部と、基本直流出力を降圧することにより、第１の目標電圧に安定化した第１の直流出力を生成するシリーズ型レギュレータとを備えたスイッチング電源装置に適用している。そして、一方の端子に基本直流出力が入力され、他方の端子から電流が流れ出すときには、基本直流出力の電圧を降下させた直流出力である第２の直流出力を前記他方の端子から送出する電圧降下用素子部を備え、スイッチング電源部は、第２の直流出力の電圧誤差に基づいてスイッチング素子のスイッチングを制御することにより、第２の直流出力の電圧を第２の目標電圧に安定化するようになっている。
【００１４】
すなわち、２種の電圧の直流出力の生成を行うにもかかわらず、１つのシリーズ型レギュレータのみを備えた構成となっている。また、シリーズ型レギュレータに入力される基本直流出力の電圧は、第２の目標電圧に、電圧降下用素子部において降下した電圧分を加算した電圧となる。このため、シリーズ型レギュレータの入力電圧と出力電圧との差異は、第１の目標電圧と第２の目標電圧との差異に、電圧降下用素子部において降下した電圧分を加算した電圧となる。従って、電圧降下用素子部を構成する素子を、適切な電圧の降下分を生じる素子とするときでは、シリーズ型レギュレータに入力される電圧と出力される電圧との差異を、シリーズ型レギュレータが、第１の直流出力の電圧を第１の目標電圧に安定化するのに必要な条件を満たす値とすることができる。
【００１５】
また、上記構成に加え、電圧降下用素子部を順方向電圧分だけ電圧を降下させる電圧降下用ダイオードとしている。すなわち、電圧降下用ダイオードの等価インピーダンスは、順方向に電流が流れるときでは微少となる。従って、電圧降下用ダイオードを流れる電流の位相遅れは微少となるので、電圧誤差信号は位相遅れの少ない信号となる。
【発明の効果】
【００１６】
本発明によれば、２種の電圧の直流出力の生成を行うにもかかわらず、１つのシリーズ型レギュレータのみを備えた構成となっている。また、シリーズ型レギュレータの入力電圧と出力電圧との差異は、第１の目標電圧と第２の目標電圧との差異に、電圧降下用ダイオードによって降下した電圧分を加算した電圧となっている。このため、電圧降下用ダイオードに、適切な電圧降下分を生じる素子を用いるときでは、シリーズ型レギュレータに入力される電圧と出力される電圧との差異は、シリーズ型レギュレータが、第１の直流出力の電圧を第１の目標電圧に安定化するのに必要な条件を満たす値となる。また、電圧降下用ダイオードの等価インピーダンスは、順方向に電流が流れるときでは微少となるので、電圧降下用ダイオードに流れる電流の位相遅れは微少となり、電圧誤差信号は位相遅れの少ない信号となる。このため、インダクタに流れる電流をスイッチングすることにより昇圧された直流出力を生成する構成において、出力する２種の直流出力の電圧の差異が微少となるときにも、回路構成の複雑化を抑制することができ、且つ、出力電圧を安定化するためのスイッチングの制御が不安定となることを防止することができる。
【００１７】
また本発明によれば、２種の電圧の直流出力の生成を行うにもかかわらず、１つのシリーズ型レギュレータのみを備えた構成となっている。また、シリーズ型レギュレータの入力電圧と出力電圧との差異は、第１の目標電圧と第２の目標電圧との差異に、電圧降下用素子部において降下した電圧分を加算した電圧となっている。従って、電圧降下用素子部を構成する素子を、適切な電圧降下分を生じる素子とするときでは、シリーズ型レギュレータに入力される電圧と出力される電圧との差異は、シリーズ型レギュレータが、第１の直流出力の電圧を第１の目標電圧に安定化するのに必要な条件を満たす値となるので、出力する２種の直流出力の電圧の差異が微少となるときにも、回路構成の複雑化を抑制することができる。
【００１８】
また、さらに、電圧降下用素子部を電圧降下用ダイオードとしており、電圧降下用ダイオードを流れる電流の位相遅れは微少となるので、電圧誤差信号は位相遅れの少ない信号となる。このため、電圧誤差の検出における位相遅れが抑制されるので、出力電圧を安定化するためのスイッチングの制御が不安定となることを防止することができる。
【発明を実施するための最良の形態】
【００１９】
以下、本発明の実施の形態について図を参照して説明する。
【００２０】
図１は、本発明に係るスイッチング電源の一実施形態の電気的接続を示す回路図であり、デジタルカメラに適用された場合を示している。なお、同図においては、デジタルカメラ部９を除いた部分が実施形態を示しており、図４に示す従来技術と同一となる部分には、図４における符号と同一符号を付与している。
【００２１】
デジタルカメラ部（負荷回路部）９は、撮像素子であるＣＣＤ、ＣＣＤに結像させるためのズームレンズ、ＣＣＤの出力を処理する信号回路、信号回路によって処理された画像信号を記録するためのメモリ等を備えており、デジタルカメラとしての機能を実行する。なお、デジタルカメラ部９は、３．０Ｖの直流出力（第１の直流出力）２１と３．３Ｖの第２の直流出力２２とを動作電源とするとともに、その他の電圧の直流出力（電池５を電源として生成される）をも動作電源（図示を省略）として使用するようになっている。
【００２２】
電池（入力側直流源）５は、例えば、２個が直列に接続されたアルカリ電池、あるいは、ニッケル水素電池、等である。電池５に並列に接続されたコンデンサＣ１は、インダクタＬ１の側から電池５を見たときの電池５の出力インピーダンスを低減する。
【００２３】
インダクタＬ１は、一方の端子が電池５のプラス端子に接続されており、インダクタＬ１の他方の端子と接地レベルとの間には、Ｎチャンネル型ＦＥＴ（請求項記載のスイッチング素子であり、以下では、単にＦＥＴと称する）１が接続されている。また、ＦＥＴ１のソースにはダイオードＤ１のアノードが接続され、ドレインにはダイオードＤ１のカソードが接続されている。なお、ダイオードＤ１は、ＦＥＴ１に内蔵されたダイオードとなっている。
【００２４】
整流用ダイオードＤ２のアノードはインダクタＬ１の他方の端子に接続され、整流用ダイオードＤ２のカソードは、基本直流出力２３の出力点として、シリーズ型レギュレータ７に導かれている。また、平滑用コンデンサＣ２が、整流用ダイオードＤ２のカソードと接地レベルとの間に接続されている。
【００２５】
また、整流用ダイオードＤ２のカソードには、電圧降下用素子部を形成する電圧降下用ダイオード（以下では、単にダイオードと称する）Ｄ３のアノードが接続され、ダイオードＤ３のカソードと接地レベルとの間には、平滑用のコンデンサＣ３が接続されている。そして、ダイオードＤ３のカソードは、第２の直流出力２２の出力点として、デジタルカメラ部９に導かれている。
【００２６】
誤差検出部４は、抵抗Ｒ１，Ｒ２によって分圧された電圧と基準電圧ｒｅｆとの差異を、増幅器３を用いて増幅することにより、ダイオードＤ３のカソード（電圧降下用素子部の他方の端子）の電圧（第２の直流出力２２の電圧）と、第２の目標電圧である３．３Ｖとの差異を示す電圧誤差信号を生成する。スイッチング制御部２は、誤差検出部４によって生成された電圧誤差信号に基づいてＦＥＴ１のスイッチングを制御することにより、第２の直流出力２２の電圧を第２の目標電圧に安定化する。
【００２７】
シリーズ型レギュレータ７は、電圧制御用素子であるＰＮＰトランジスタＱ１のベース電流を制御回路８を用いて制御し、基本直流出力２３の電圧を降圧することによって、第１の目標電圧（３．０Ｖ）に安定化された第１の直流出力２１を生成する。なお、シリーズ型レギュレータ７の出力端子と接地レベルとの間に接続されたコンデンサＣ４は、第１の直流出力２１の経路と接地レベルとの間の交流的なインピーダンスを低減する。
【００２８】
なお、シリーズ型レギュレータ７は、電圧制御用素子にＰＮＰトランジスタＱ１を用いているので、基本直流出力２３の電圧が、第１の目標電圧（３．０Ｖ）より０．７Ｖ以上高い電圧（３．７Ｖ）となる場合では、第１の直流出力２１の電圧を第１の目標電圧に安定化することができる。
【００２９】
また、ダイオードＤ３には、順方向電圧が約１Ｖのファースト・リカバリーダイオードが使用されている。このため、第２の直流出力２２の電圧を３．３Ｖに安定化する場合では、基本直流出力２３の電圧は約４．３Ｖになる。
【００３０】
本発明に係るスイッチング電源装置は上記した構成となっている。すなわち、図４に示した従来技術と比するときには、シリーズ型レギュレータ８２が省略され、ダイオードＤ３が追加された構成となっている。すなわち、回路構成が簡単化された構成となっている。
【００３１】
上記構成からなる実施形態の動作について説明する。
【００３２】
誤差検出部４は、ダイオードＤ３のカソードから送出される第２の直流出力２２の電圧誤差を検出して電圧誤差信号を生成する。スイッチング制御部２は、誤差検出部４によって生成された電圧誤差信号に基づいてＦＥＴ１のスイッチングを制御する。このため、第２の直流出力２２の電圧は、第２の目標電圧（３．３Ｖ）に安定化される。
【００３３】
一方、ダイオードＤ３の順方向電圧は１．０Ｖである。このため、基本直流出力の電圧は４．３Ｖとなる。シリーズ型レギュレータ８１は、４．３Ｖの基本直流出力を降圧することによって、３．０Ｖに安定化された第１の直流出力２１を生成する。その結果、デジタルカメラ部９は、３．０Ｖの第１の直流出力２１と３．３Ｖの第２の直流出力２２、および、図示されないその他の電圧の直流出力を動作電源として、所定動作を実行する。
【００３４】
以下に補足的な説明を行うと、ダイオードＤ３の等価インピーダンスは、順方向に電流が流れるときでは微少となる。従って、ＦＥＴ１のドレインからダイオードＤ３のカソードに至る経路のインピーダンスは微少となる。このため、ＦＥＴ１をスイッチングするスイッチング周波数において、ＦＥＴ１のドレインから見たときのダイオードＤ３のカソードの位相遅れは、平滑用コンデンサＣ２，Ｃ３の値を、充分な平滑が得られる値とするときにも、小さい値に抑制される。従って、電圧誤差信号は、位相遅れの少ない信号となるので、第２の直流出力２２の電圧を第２の目標電圧に安定化するための制御は、不安定さを生じることのない制御となる。
【００３５】
また、シリーズ型レギュレータ７は、４．３Ｖの基本直流出力２３から３．０Ｖの第１の直流出力２１を生成すればよいので、精度良く、第１の直流出力２１を３．０Ｖに安定化することができる。
【００３６】
なお、ダイオードＤ３にショットキーダイオード（順方向電圧が０．５Ｖ）を用いると、基本直流出力２３の電圧が３．８Ｖとなるので、ダイオードＤ３における損失、および、シリーズ型レギュレータ７における損失がより少なくなり、総合的な変換効率を、図４に示す従来技術よりも高いものとすることができる（図４に示す従来技術では、直流出力７４の電圧を、４．０Ｖより低い電圧とすることができない）。
【００３７】
なお、本発明は上記実施形態に限定されず、図２に示すように、電圧制御用素子がＮＰＮトランジスタであるシリーズ型レギュレータ３１を用いた構成とすることができる。そして、この構成とするときでは、シリーズ型レギュレータ３１の入力電圧と出力電圧との差異の最小値が１．５Ｖとなる。このため、電圧降下用素子部の構成を、２つのダイオード（順方向電圧が１．０Ｖ）Ｄ３，Ｄ５を直列に接続した構成とする。従って、このときでは、基本直流出力２６の電圧は５．３Ｖとなり、第１の直流出力２１の３．０Ｖより２．３Ｖ高い電圧となるので、シリーズ型レギュレータ３１は、充分な余裕をもって、第１の直流出力２１の電圧を３．０Ｖに安定化することができる。
【００３８】
また、電圧降下用素子部については、以下に示す構成とすることができる。すなわち、第１の目標電圧をＶ１、第２の目標電圧をＶ２、電圧降下用素子部による電圧降下分をＶｄｎ、シリーズ型レギュレータ（７や３１に示す構成とは異なる構成とすることもできる）の入力電圧と出力電圧との差異として要求される電圧の最小値をＶｍｉｎとする場合において、
Ｖｄｎ＞Ｖｍｉｎ−（Ｖ２−Ｖ１）
なる関係を満たす限りでは、その他の構成とすることができる。
【図面の簡単な説明】
【００３９】
【図１】本発明に係るスイッチング電源の一実施形態の電気的接続を示す回路図である。
【図２】変形した実施形態の部分的な電気的接続を示す回路図である。
【図３】従来技術の電気的接続を示す回路図である。
【図４】従来技術の電気的接続を示す回路図である。
【図５】従来技術の電気的接続を示す回路図である。
【符号の説明】
【００４０】
１  ＦＥＴ（スイッチング素子）
２  スイッチング制御部
４  誤差検出部
５  電池（入力側直流源）
６  スイッチング電源部
７，３１  シリーズ型レギュレータ
２１  第１の直流出力
２２  第２の直流出力
２３，２６  基本直流出力
Ｃ２  平滑用コンデンサ
Ｄ２  整流用ダイオード
Ｄ３，Ｄ５  電圧降下用ダイオード
Ｌ１  インダクタ
【図１】
2006115616.tif 000003
【図２】
2006115616.tif 000004
【図３】
2006115616.tif 000005
【図４】
2006115616.tif 000006
【図５】
2006115616.tif 000007